(57)【要約】【課題】濾過装置のフィルタにかかる負担を小さくしつつ且つ適切にバラスト水を濾過処理することができるバラスト水処理装置を提供すること。【解決手段】本発明によれば、系外から流入したバラスト水を濾過処理する濾過装置と、前記濾過処理されたバラスト水に含有される微生物を紫外線により殺滅処理する紫外線照射手段とを備えたバラスト水処理装置であって、前記バラスト水における光の透過率を測定する透過率測定手段と、前記濾過装置に流通させる前記バラスト水の流量を調節する制御手段とを備え、前記透過率測定手段は、前記バラスト水における第１及び第２波長を含む複数の波長帯の透過率を測定するように構成され、前記制御手段は、前記複数の波長帯の透過率に基づいて前記流量を調節する流量制御を実行する、バラスト水処理装置が提供される。【選択図】図１
2017225907.tif 000002
【特許請求の範囲】
【請求項１】
系外から流入したバラスト水を濾過処理する濾過装置と、前記濾過処理されたバラスト水に含有される微生物を紫外線により殺滅処理する紫外線照射手段とを備えたバラスト水処理装置であって、
前記バラスト水における光の透過率を測定する透過率測定手段と、
前記濾過装置に流通させる前記バラスト水の流量を調節する制御手段と、
を備え、
前記透過率測定手段は、前記バラスト水における第１及び第２波長を含む複数の波長帯の透過率を測定するように構成され、
前記制御手段は、前記複数の波長帯の透過率に基づいて前記流量を調節する流量制御を実行する、
バラスト水処理装置。
【請求項２】
前記制御手段は、第１及び第２波長帯それぞれの透過率に基づいて前記流量の第１及び第２適正値をそれぞれ算出又は設定し且つこれらのうち小さい方に前記流量を調節する、請求項１に記載のバラスト水処理装置。
【請求項３】
前記系外から流入した前記バラスト水を前記濾過装置を介さず再び系外に流出させるバイパスラインを更に備え、
前記透過率測定手段は、前記バイパスラインを流通する前記バラスト水における第１及び第２波長を含む複数の波長帯の透過率を測定するように構成される、
請求項１又は請求項２に記載のバラスト水処理装置。
【請求項４】
前記制御手段は、
第１波長帯の前記透過率が所定割合以下である場合に前記流量の第１適正値にし、
第２波長帯の前記透過率と総浮遊物量との関係に基づいて前記総浮遊物量を算出し、これが所定割合未満である場合に前記流量を第２適正値にする、
請求項１〜請求項３の何れか１つに記載のバラスト水処理装置。
【請求項５】
前記制御手段は、前記バラスト水を処理するバラスト処理の前に前記流量制御を実行する、請求項１〜請求項４の何れか１つに記載のバラスト水処理装置。
【発明の詳細な説明】
【技術分野】
【０００１】
本発明は、バラスト水処理装置に関する。
【背景技術】
【０００２】
タンカー等の船舶は、積み荷の原油等を降ろした後、再度目的地に向けて航行する際、航行中の船舶のバランスを取るため、通常、バラスト水と呼ばれる水をバラストタンク内に貯留する。バラスト水は、基本的に荷上港で取水されて、荷積港で排出される。そのため、それらの場所が異なっていれば、バラスト水中に含まれるプランクトンや細菌類の微生物が世界中を移動することになる。従って、荷上港と異なる水域の荷積港でバラスト水を排出すると、その港に別の水域の微生物を放出することになり、その水域の生態系を破壊するおそれがある。
【０００３】
そこで、バラスト水中に含まれる微生物の含有量を低減するために、バラスト水処理装置が用いられている。例えば、特許文献１に記載のバラスト水処理装置は、バラスト水を濾過処理するフィルタと、バラスト水に紫外線を照射して、微生物の殺滅処理（殺菌処理）をする紫外線照射手段（紫外線照射装置）とを備えている。
【先行技術文献】
【特許文献】
【０００４】
【特許文献１】特開２００６−２４８５１０号公報
【発明の概要】
【発明が解決しようとする課題】
【０００５】
ところで、地域（水域）によっては未処理のバラスト水に含有される夾雑物が多く、このようなバラスト水は濁度が高い。濁度が高いとバラスト水に対して十分な紫外線照度すなわち十分な殺菌効果が得られない。その結果、特許文献１に開示されるようなバラスト水処理装置では、十分に殺菌処理のなされていないバラスト水がバラストタンクに貯留されたり、更にはかかるバラスト水が系外（船外）に排出されるおそれがある。また、濁度の高いバラスト水は、夾雑物を多く含有するので濾過装置への流量が大きいとフィルタにかかる負荷が大きいものとなる。
【０００６】
本発明はこのような事情に鑑みてなされたものであり、濾過装置のフィルタにかかる負担を小さくしつつ且つ適切にバラスト水を濾過処理することができるバラスト水処理装置を提供することを目的とする。
【課題を解決するための手段】
【０００７】
本発明によれば、系外から流入したバラスト水を濾過処理する濾過装置と、前記濾過処理されたバラスト水に含有される微生物を紫外線により殺滅処理する紫外線照射手段とを備えたバラスト水処理装置であって、前記バラスト水における光の透過率を測定する透過率測定手段と、前記濾過装置に流通させる前記バラスト水の流量を調節する制御手段とを備え、前記透過率測定手段は、前記バラスト水における第１及び第２波長を含む複数の波長帯の透過率を測定するように構成され、前記制御手段は、前記複数の波長帯の透過率に基づいて前記流量を調節する流量制御を実行する、バラスト水処理装置が提供される。
【０００８】
このような構成によれば、制御手段が、第１及び第２波長を含む複数の波長帯の透過率に基づいて濾過装置に流通させるバラスト水の流量を調節するため、適切に濾過処理及び殺菌処理されたバラスト水がバラストタンクに貯留され又は系外に排出されるようになる。また、濾過装置のフィルタにかかる負荷を軽減することができる。
【０００９】
以下、本発明の種々の実施形態を例示する。以下に示す実施形態は互いに組み合わせ可能である。
【００１０】
好ましくは、前記制御手段は、第１及び第２波長帯それぞれの透過率に基づいて前記流量の第１及び第２適正値をそれぞれ算出又は設定し且つこれらのうち小さい方に前記流量を調節する。
【００１１】
好ましくは、前記系外から流入したバラスト水を前記濾過装置を介さず再び系外に流出させるバイパスラインを更に備え、前記透過率測定手段は、前記バイパスラインを流通する前記バラスト水における第１及び第２波長を含む複数の波長帯の透過率を測定するように構成される。
【００１２】
好ましくは、前記制御手段は、第１波長帯の前記透過率が所定割合以下である場合に前記流量の第１適正値にし、第２波長帯の前記透過率と総浮遊物量との関係に基づいて前記総浮遊物量を算出し、これが所定割合未満である場合に前記流量を第２適正値にする。
【００１３】
前記制御手段は、前記バラスト水を処理するバラスト処理の前に前記流量制御を実行する。
【図面の簡単な説明】
【００１４】
【図１】本発明の実施形態に係るバラスト水処理装置の概略を示す図である。
【図２】バラスト処理を説明するための図である。
【図３】デバラスト処理を説明するための図である。
【図４】バラスト水濾過装置２に流通させるバラスト水の流量を調節する処理手順を示すフローチャートである。
【図５】バラスト水をバイパスライン１０に流通させたときの概略を示す図である。
【発明を実施するための形態】
【００１５】
本発明に係るバラスト水処理装置の実施形態について、以下図面を参照しながら説明する。以下に示す実施形態中で示した各種特徴事項は、互いに組み合わせ可能である。また、各特徴について独立して発明が成立する。
【００１６】
１．バラスト水処理装置の構成
図１は、本実施形態に係るバラスト水処理装置の構成を示す概略図である。図１に示すように、本実施形態のバラスト水処理装置は、海水等の船外（系外）の水をシーチェストＳＣから船内（系内）に取り込んでバラスト水として圧送するポンプ１と、フィルタによりバラスト水を濾過処理するバラスト水濾過装置２と、バラスト水に紫外線を照射してバラスト水に含有される微生物を殺菌処理する紫外線リアクタ３（特許請求の範囲における「紫外線照射手段」の一例）と、バラスト水を貯留するバラストタンク４と、バラスト水処理装置の各処理の制御を行う制御手段５と、紫外線、可視光等を含む複数の波長帯の透過率を測定する透過率測定手段６と、バラスト水の塩分濃度を測定する塩分濃度測定手段７とを備える。なお、透過率測定手段６は、異なる波長帯を有する複数の光源（図示せず）と、透過率を測定する濁度計（図示せず）とからなるものとする。
【００１７】
ここで、本明細書において「バラスト水」については、バラストタンク４に導入（流入）される前又はバラストタンク４から排出（流出）された後に拘わらず、また、バラスト水濾過装置２に導入（流入）される前又はバラスト水濾過装置２から排出（流出）された後に拘わらず、更には、紫外線リアクタ３に導入（流入）される前又は紫外線リアクタ３から排出（流出）された後に拘わらず、船内に取り込まれた水を全て「バラスト水」と表現し、これは、海水、淡水、汽水等を含む。
【００１８】
また、本実施形態に係るバラスト水処理装置は、上記各構成要素を流通する複数のラインＬ１〜Ｌ９を備える。「ライン」とは、流路、経路、管路等の流体の流通が可能なラインの総称である。また、図１においては、ラインＬ１〜ラインＬ９それぞれの両端に、ラインの数字と同一の数字を付している。
【００１９】
具体的には、図１に示すように、ラインＬ１はシーチェストＳＣとポンプ１を接続するラインであり、開閉弁Ｖ１を有する。ラインＬ２はポンプ１とバラスト水濾過装置２を接続するラインであり、開閉弁Ｖ３を有する。ラインＬ３はバラスト水濾過装置２と紫外線リアクタ３を接続するラインであり、開閉弁Ｖ４を有する。また、ラインＬ４は、紫外線リアクタ３とバラスト水を船外へ排出する排出口ＤＲを接続するラインであり、開閉弁Ｖ２、開閉弁Ｖ６を有する。なお、ラインＬ１〜ラインＬ４は、これらを合わせて、シーチェストＳＣと排出口ＤＲとを接続する主管とも呼ばれる。
【００２０】
次に、ラインＬ５は、一端がラインＬ２と接続され、他端がラインＬ３と接続されて、バラスト水濾過装置２をバイパスするラインであり、塩分濃度測定手段７を有する。ラインＬ６は、一端がラインＬ３と塩分濃度測定手段７の間の位置においてラインＬ５に接続され他端が開閉弁Ｖ６と開閉弁Ｖ２の間の位置においてラインＬ４に接続されて、紫外線リアクタ３をバイパスするラインであり、開閉弁Ｖ５を有する。特にラインＬ５、ラインＬ６は、流入したバラスト水をバラスト水濾過装置２を介さず再び系外に流出させるラインであるため、バイパスライン１０とも呼ばれる。
【００２１】
ラインＬ７は、一端が開閉弁Ｖ６と開閉弁Ｖ２の間の位置においてラインＬ４と接続され、他端がバラストタンク４に接続されて、紫外線リアクタ３とバラストタンク４を接続するラインであり、開閉弁Ｖ７を有する。そして、ラインＬ８は、一端が開閉弁Ｖ７とバラストタンク４の間の位置においてラインＬ７と接続され、他端が開閉弁Ｖ１とポンプ１の間の位置においてラインＬ１と接続されて、バラストタンク４とポンプ１を接続するラインであり、開閉弁Ｖ８を有している。
【００２２】
また、本実施形態において、バラスト水濾過装置２は、濾過処理中にフィルタの洗浄を行うフィルタ洗浄手段（図示せず）を備えており、フィルタ洗浄手段により排出される洗浄汚水を船外へ排出するラインＬ９が接続される。ラインＬ９には、開閉弁Ｖ９が設けられる。
【００２３】
制御手段５は、バラスト水のバラストタンク４への漲水（バラスト処理）制御及びバラストタンク４からの排水（デバラスト処理）制御を行う。これらの制御は、ポンプ１及び、上述した開閉弁Ｖ１〜Ｖ９の開閉を制御することにより行われる。
【００２４】
２．バラスト水の処理運転
次に、以上のように構成された本実施形態のバラスト水処理装置において、バラスト水を処理する処理運転について説明する。
【００２５】
２．１  バラスト処理
図２は、本実施形態に係るバラスト水処理装置におけるバラスト処理（漲水処理）時にバラスト水が流れる経路を示している。この工程では、図２における太線で示されるラインにバラスト水を流通させてバラストタンク４にバラスト水を導入する。詳細は次に説明する。
【００２６】
バラストタンク４にバラスト水を導入する際には、制御手段５は、開閉弁Ｖ１、開閉弁Ｖ３、開閉弁Ｖ４、開閉弁Ｖ６、開閉弁Ｖ７、開閉弁９を開き、開閉弁Ｖ２、開閉弁Ｖ５、開閉弁Ｖ８を閉じ、ポンプ１を起動するとともに、紫外線ランプに通電する。ポンプ１の起動により、シーチェストＳＣから船外の水（海水等）が取り込まれ、ラインＬ１、ラインＬ２を通ってバラスト水濾過装置２へと通水される。バラスト水濾過装置２へ通水されたバラスト水は、フィルタにより濾過処理された後、ラインＬ３を通って紫外線リアクタ３へと流れる。ここで、上述したバラスト水濾過装置２のフィルタ洗浄手段により、バラスト水濾過装置２へ流入したバラスト水の一部は、フィルタ洗浄の汚水としてラインＬ９を通って船外へと排出される。紫外線リアクタ３を通過するバラスト水には紫外線が照射され、殺菌処理がなされる。そして、殺菌処理がなされたバラスト水はラインＬ７を通過してバラストタンク４へと送り込まれる。
【００２７】
２．２  デバラスト処理
図３は、本実施形態に係るバラスト水処理装置におけるデバラスト処理（排水処理）時にバラスト水が流れる経路を示している。この工程では、図３における太線で示されるラインによりバラストタンク４内のバラスト水が船外に排出される。詳細は次に説明する。
【００２８】
バラストタンク４から排出口ＤＲを介してバラスト水を船外へ排出する際には、図３に示すように、制御手段５は、開閉弁Ｖ８、開閉弁Ｖ６、開閉弁Ｖ２を開き、開閉弁Ｖ１、開閉弁Ｖ３、開閉弁Ｖ４、開閉弁Ｖ５、開閉弁Ｖ７を閉じ、ポンプ１を起動するとともに紫外線ランプに通電する。ポンプ１の起動により、バラストタンク４の水がラインＬ８、ラインＬ１、ラインＬ２、ラインＬ５、ラインＬ４を通って排出口ＤＲから船外へと排出される。ここで、船外へ排出するバラストタンク４内のバラスト水がバラスト水濾過装置２を通らず、ラインＬ５によりバイパスされているのは、バラストタンク４内のバラスト水が、上述したバラスト処理時に一度濾過処理を行っているためである。
【００２９】
３．透過率に基づく流量制御
続いて、以上のように構成された本実施形態のバラスト水処理装置において、バラスト水濾過装置２に流通させるバラスト水の流量を制御する方法について、図４にフローチャートとして示す次のステップに沿って説明する。なお、本ステップは、上述のバラスト処理をする前に実行することが好ましく、以下、かかるタイミングでの実行を前提として説明するものとする。
【００３０】
なお、後述の波長帯λ１、λ２は、例えば一方が可視光、他方が紫外線光の波長帯である。また、後述の適正値とは、制御手段５がバラスト水の透過率に基づいて調節の要不要に関わらず適切であると判断した流量の値である。また、調節が不要な場合にあっては、かかる適正値は、通常の流量（以後、通常値と称し予め決定されていることが好ましい）に設定されるものとする。
【００３１】
［開始］
（ステップＳ１−１）
図５に示すように、制御手段５は、開閉弁Ｖ１、開閉弁Ｖ２、開閉弁Ｖ５を開き、開閉弁Ｖ３、開閉弁Ｖ４、開閉弁Ｖ６、開閉弁Ｖ７を閉じ、ポンプ１を起動する。ポンプ１の起動により、シーチェストＳＣから船外の水（海水等）を取り込んで、ラインＬ１、ラインＬ２、ラインＬ５、ラインＬ６、ラインＬ４を通って再び船外へと流通させる。
【００３２】
（ステップＳ１−２）
透過率測定手段６は、ステップＳ１−１によって流通しているバラスト水に対して波長帯λ１（特許請求の範囲における「第１波長帯」の一例）の透過率Ｔ１を測定する。
【００３３】
（ステップＳ１−３ａ）
ステップＳ１−２における透過率Ｔ１の測定結果が、
Ｔ１≧Ｔ０（又はＴ１＞Ｔ０）    （１）
を満たす場合（Ｔ０は、特許請求の範囲における「所定割合」の一例）は、制御手段５は、通常値をバラスト水濾過装置２のフィルタに流通させてもフィルタにかかる負荷は大きくないと判断する。換言すると、制御手段５は、流量の第１適正値を通常値に設定する。
【００３４】
（ステップＳ１−３ｂ）
ステップＳ１−２における透過率Ｔ１の測定結果が、
Ｔ１＜Ｔ０（又はＴ１≦Ｔ０）    （２）
を満たす場合は、制御手段５は、通常の流量（予め決定されていることが好ましい）をバラスト水濾過装置２のフィルタに流通させるとフィルタにかかる負荷が大きいと判断する。より好ましくは、フィルタにかかる負荷、予想される濾過処理の精度、フィルタの耐久時間等を判断する。そして、Ｔ１の値に基づいて、流量の第１適正値を算出する。なお、Ｔ１と第１適正値との関係は予め決定されたデータベースに基づいて算出されてもよく、所定の法則に基づいてリアルタイムに算出されてもよい。また、連続的に算出されてもよいし離散的に算出されてもよい。
【００３５】
（ステップＳ１−４）
透過率測定手段６は、ステップＳ１−１によって流通しているバラスト水に対して波長帯λ２（特許請求の範囲における「第２波長帯」の一例）の透過率Ｔ２を測定する。更に、制御手段５は、透過率Ｔ２から当該バラスト水の総浮遊物量（ＴＴＳ：Ｔｏｔａｌ  Ｓｕｓｐｅｎｄｅｄ  Ｓｏｌｉｄｓ）を算出する。なお、Ｔ２とＴＴＳとの関係は予め得られているものとする。
【００３６】
（ステップＳ１−５ａ）
ステップＳ１−４におけるＴＴＳの算出結果が、
ＴＴＳ≧ＴＴＳ０（又はＴＴＳ＞ＴＴＳ０）    （３）
を満たす場合（ＴＴＳ０は、特許請求の範囲における「所定割合」の一例）は、制御手段５は、通常値をバラスト水濾過装置２のフィルタに流通させてもフィルタの負荷は大きくないと判断する。換言すると、制御手段５は、流量の第２適正値を通常値に設定する。
【００３７】
（ステップＳ１−５ｂ）
ステップＳ１−４におけるＴＴＳの算出結果が、
ＴＴＳ＜ＴＴＳ０（又はＴＴＳ≦ＴＴＳ０）    （４）
を満たす場合は、制御手段５は、通常の流量（予め決定されていることが好ましい）をバラスト水濾過装置２のフィルタに流通させるとフィルタにかかる負荷が大きいと判断する。より好ましくは、フィルタにかかる負荷、予想される濾過処理の精度、フィルタの耐久時間等を判断する。そして、ＴＴＳの値に基づいて、流量の第２適正値を算出する。なお、ＴＴＳと第２適正値との関係は予め決定されたデータベースに基づいて算出されてもよく、所定の法則に基づいてリアルタイムに算出されてもよい。また、連続的に算出されてもよいし離散的に算出されてもよい。
【００３８】
（ステップＳ１−６）
制御手段５は、ステップＳ１−３ａ若しくはＳ１−３ｂ、及びステップＳ１−５ａ若しくはＳ１−５ｂによって得られた第１及び第２適正値の大小を比較し、何れか小さい方に流量を調節する。すなわち、バラスト水処理を実行する際には、当該流量のバラスト水がバラスト水濾過装置２に流通されて実行されることとなる。
［終了］
【００３９】
４．塩分濃度に基づく紫外線照射強度制御
上述の流量制御によれば、バラスト水濾過装置２におけるフィルタの負荷を軽減し且つ適切に濾過処理がなされるため、適切に濾過処理及び殺菌処理されたバラスト水がバラストタンクに貯留され又は系外に排出されるようになる。また、濾過装置のフィルタにかかる負荷を軽減することができる。
【００４０】
一方で、一般的に淡水性の微生物と海洋性の微生物とを比較すると前者の方が紫外線照射に対する耐性があることがわかってきた。そこで、本実施形態では、塩分濃度で水域を特定し、水域に応じた紫外線照射強度でバラスト処理時（漲水時）に殺菌処理を行うものとする。
【００４１】
紫外線リアクタ３の紫外線照射強度を制御する方法について、次のステップに沿って説明する。なお、本ステップは、その水域に住んでいる生物を判定するため上述のバラスト処理より前に実行すればよく、例えば上述の流量制御と同じタイミングで行ってもよい。以下、かかるタイミングでの実行を前提として説明するものとする。
【００４２】
［開始］
（ステップＳ２−１）
図５に示すように、制御手段５は、開閉弁Ｖ１、開閉弁Ｖ２、開閉弁Ｖ５を開き、開閉弁Ｖ３、開閉弁Ｖ４、開閉弁Ｖ６、開閉弁Ｖ７を閉じ、ポンプ１を起動する。ポンプ１の起動により、シーチェストＳＣから船外の水（海水等）を取り込んで、ラインＬ１、ラインＬ２、ラインＬ５、ラインＬ６、ラインＬ４を通って再び船外へと流通させる。
【００４３】
（ステップＳ２−２）
塩分濃度測定手段７は、ステップＳ２−１によって漲水中のバラスト水の塩分濃度Ｃを測定する。
【００４４】
（ステップＳ２−３）
ステップＳ２−２における塩分濃度Ｃの測定結果に応じて、制御手段５は、紫外線リアクタ３の紫外線照射強度を制御する。すなわち、塩分濃度Ｃが低ければ、紫外線リアクタ３の紫外線照射強度を通常よりも高めに設定することとなる。なお、塩分濃度Ｃに基づいて連続的に紫外線強度を変化させてもよいし２値に係る等離散的に制御してもよい。
［終了］
【００４５】
４．作用効果
以上説明した実施形態によれば次の作用効果を奏することができる。
【００４６】
（イ）本実施形態に係るバラスト水処理装置は、好ましくはバラスト処理前に、バラスト水における波長帯λ１及びλ２の光の透過率Ｔ１及びＴ２をそれぞれ測定し、それらの値に基づいてバラスト水濾過装置２に流入させるバラスト水の流量の第１及び第２適正値を算出し、このうち小さい方に流量が制御される。これによって、適切に濾過処理及び殺菌処理されたバラスト水がバラストタンク４に貯留され又は系外に排出されるようになる。更に、バラスト水濾過装置２におけるフィルタにかかる負荷を低減することができる。
【００４７】
（ロ）本実施形態に係るバラスト水処理装置は、好ましくはバラスト処理前に、バラスト水における波長帯λ１及びλ２の光の透過率Ｔ１及びＴ２をそれぞれ測定し、それらの値に基づいてバラスト水濾過装置２に流入させるバラスト水の流量の第１及び第２適正値を算出し、このうち小さい方に流量が制御される。これによって、バラスト水濾過装置２によって適切にバラスト水が濾過処理され、紫外線リアクタ３の紫外線照射強度を上昇させなくとも殺菌効果を維持又は向上させることができる。
【００４８】
（ハ）本実施形態に係るバラスト水処理装置は、バラスト水の塩分濃度Ｃを測定し、これに基づいて紫外線リアクタ３の紫外線照射強度を制御する。これによって、微生物の紫外線耐性に合わせてより適切に殺菌処理をすることができる。
【００４９】
５．変形例
本発明に係るバラスト水処理装置を以下の形態においても実施することができる。
【００５０】
第１に、本実施形態に係る透過率測定手段６は、ラインＬ６上に設けられたが、ラインＬ６以外、例えばラインＬ１、ラインＬ２、ラインＬ３、ラインＬ４、ラインＬ５等上に設けてもよい。その中でも、Ｌ６と同じくバイパスライン１０であるラインＬ５に設けられることが好ましい。
【００５１】
第２に、本実施形態に係る塩分濃度測定手段７は、ラインＬ５上に設けられたが、どこに設けられてもよい。
【００５２】
第３に、本実施形態に係る紫外線リアクタ３とともに、次亜塩素酸等の薬剤によって殺菌処理する薬剤導入部を有するように実施してもよい。かかる場合、デバラスト処理の際には、当該薬剤を中和する中和剤導入部を合わせて備える必要があることに留意したい。
【００５３】
第４に、本実施形態に係る紫外線リアクタ３とともに、バラスト水を電気分解することで塩素を生成させ、その酸化作用によって殺菌処理する電解装置を有するように実施してもよい。
【００５４】
第５に、本実施形態に係る紫外線リアクタ３とともに、オゾンを生成させ、その酸化作用によって殺菌処理するオゾン発生装置を有するように実施してもよい。
【００５５】
第６に、塩分濃度に基づき判断した微生物の紫外線耐性に合わせて流量を変更する制御を行うこともできる。具体的には、微生物の紫外線耐性が高い水域では流量を減少させて紫外線の照射時間が長くなるよう制御を行う。これにより、紫外線照射強度を調節しなくても、微生物の紫外線耐性に合わせてより適切な殺菌処理を行うことが可能となる。
【００５６】
以上、本発明の好ましい実施形態について説明した。しかし、本発明は、上述した実施形態に限定されることなく、種々の形態で実施することができる。特に、圧送部はポンプに制限されず、発明の均等な範囲において開閉弁やポンプの上流下流に係る順序を一部入れ替えたり、新たなライン、開閉弁、ポンプ等を追加してもかまわない。
【符号の説明】
【００５７】
１      ：ポンプ
２      ：バラスト水濾過装置
３      ：紫外線リアクタ
４      ：バラストタンク
５      ：制御手段
６      ：透過率測定手段
７      ：塩分濃度測定手段
１０    ：バイパスライン
Ｌ１〜Ｌ９    ：ライン
ＳＣ  ：シーチェスト
ＤＲ  ：排出口
Ｖ１〜Ｖ９    ：開閉弁
【図１】
2017225907.tif 000003
【図２】
2017225907.tif 000004
【図３】
2017225907.tif 000005
【図４】
2017225907.tif 000006
【図５】
2017225907.tif 000007